(57)【特許請求の範囲】
【請求項１】
ベースバンド処理や有線伝送処理のための複数のリソースブロック及び制御部を備えた無線基地局装置のリソース制御方法において，
前記制御部は，
前記リソースブロックの何れかで異常が発生すると空きのリソースブロックの一つを検出し，異常を発生したリソースブロックで使用する処理情報を異常リソース情報として複写し，
前記異常リソース情報を複写した空きのリソースブロックに対して自己診断データ生成部から診断データを入力して処理を実行させ，
前記空きのリソースブロックによる自己診断データの処理結果を自己診断結果検出部で検出した結果を判定し，
前記自己診断データの処理結果が良好と判定されると前記異常を発生したリソースブロックの通信処理を，当該良好と判定されたリソースブロックによる継続処理を開始させ，
自己診断データの処理結果が不良と判定されると他の空きリソースブロックに対する異常リソース情報の複写と自己診断による正常なリソースブロックの選択を行うことを特徴とする無線基地局装置のリソース制御方法。
【請求項２】
ベースバンド処理や有線伝送処理のための複数のリソースブロック及び制御部を備えた無線基地局装置のリソース制御方法において，
前記制御部は，
前記リソースブロックの何れかで異常が発生すると空きのリソースブロックを識別して複数の空きリソースブロックを検出すると，検出した複数の空きリソースブロックの中の所定数のリソースブロックのそれぞれに対して，前記異常を発生したリソースブロックで使用する処理情報を異常リソース情報として複写し，
前記異常リソース情報を複写した複数の空きのリソースブロックに対して自己診断データ生成部から診断データを入力して処理を実行させ，
前記空きのリソースブロックによる自己診断データの処理結果を自己診断結果検出部で順に検出して結果を判定し，
前記自己診断データの処理結果について，良好と判定されたリソースブロックが一つ検出されると，前記異常を発生したリソースブロックの通信処理を，当該検出されたリソースブロックによる継続処理を開始させ，
自己診断データの処理結果が不良であると，他の空きのリソースブロックによる前記異常リソース情報の複写による正常なリソースブロックの検出を行うことを特徴とする無線基地局装置のリソース制御方法。
【請求項３】
ベースバンド処理や有線伝送処理のための複数のリソースブロック及び制御部を備えた無線基地局装置のリソース制御方法において，
前記制御部は，前記リソースブロックの何れかで異常が発生すると空きのリソースブロックの一つを検出し，検出したリソースブロックに前記異常を発生したリソースブロックで使用する情報を異常リソース情報として複写し，
前記異常リソース情報を複写した空きのリソースブロック及び前記異常を発生したリソースブロックのそれぞれに対して自己診断データ生成部から自己診断データを入力して処理を実行させ，
前記空きのリソースブロックの自己診断結果の出力と前記異常を発生したリソースブロックの自己診断結果の出力とを比較し，
両者が一致すると前記異常を発生したリソースブロックによる処理を継続開始することを特徴とする無線基地局装置のリソース制御方法。
【請求項４】
請求項３において，
前記空きのリソースブロックの自己診断結果の出力と前記異常を発生したリソースブロックの自己診断結果の出力とを比較して，一致が得られると，前記異常を発生したリソースブロックに関する警報履歴を判別し，
警報履歴がないと前記異常を発生したリソースブロックにより処理を継続再開し，警報履歴があると前記空きのリソースブロックの自己診断結果が良好であるか判別し，良好な場合は該空きのリソースブロックによる処理を継続再開することを特徴とする無線基地局装置のリソース制御方法。
【請求項５】
ベースバンド処理や有線伝送処理のための複数のリソースブロックで構成する無線基地局装置のリソースの制御装置であって，
前記制御装置は，前記リソースブロックの何れか一つでの異常発生を受け取ることで起動して空きのリソースブロックの一つを検出して，前記異常を発生したリソースブロックの情報を異常リソース情報として複写させる異常情報複写手段と，
自己診断データ生成部に対して前記異常リソース情報を複写した空きのリソースブロックに対して自己診断データを入力させ，該自己診断データにより動作したリソースブロックの結果を判定する自己診断結果検出部を駆動するよう指示する診断処理手段と，
前記自己診断結果検出部による検出結果を判定する診断結果判定手段と，
前記診断結果判定手段により正常と判定されると，該正常とされたリソースブロックにより前記異常を発生したリソースブロックの処理を継続させる継続開始手段とを備えることを特徴とする無線基地局装置のリソースの制御装置。
【発明の詳細な説明】
【技術分野】
【０００１】
本発明は，移動通信システムにおける無線基地局装置のリソース制御方法及び制御装置に関する。
【０００２】
近年，移動通信システムにおけるデータ通信や音声通信において高品質サービスの提供が必要不可欠になっている。ナンバーポータビリティ（通信会社を変えても電話番号を変えない方式）により通信会社間での電話番号の移管が容易になってくる現状から，ユーザ数の増加に伴い，接続率向上や，異常時の早期復旧が課題となってくる。
【背景技術】
【０００３】
図７は移動通信システムの構成を示す図である。図中，５０は移動端末，５１は無線基地局装置，５２は複数の無線基地局装置５１の上位に設けられ，それらを制御する網制御装置，５３は複数の移動端末相互の接続制御及び網に収容された有線端末と移動端末間の接続制御を行う交換機，５４は各種のネットワークが収容された網である。
【０００４】
図８は無線基地局装置のブロック構成図であり，上記図７に示す無線基地局装置５１の内部であり，５１０は無線送受信部，５１１はベースバンド処理部，５１２は制御部，５１３は有線伝送処理部，５２は網制御装置である。システムにおいて，下りの主信号は，有線伝送処理部５１３，制御部５１２，ベースバンド処理部５１１，無線送受信部５１０へ流れ，上りの主信号は，無線送受信部５１０，ベースバンド処理部５１１，制御部５１２，有線伝送処理部５１３と流れる。有線伝送処理部５１３はベースバンド処理部５１１及び制御部５１２からの信号変換処理を行い，制御部５１２は，運用状態を管理したり，有線伝送処理部５１３から受信した信号から各機能部（ベースバンド処理部５１１や無線送受信部５１０）に対するリソース割り当て等の制御を実行する。ベースバンド処理部５１１は，無線送受信部５１０で受信した無線信号をベースバンド信号に復調して，誤り訂正処理等の信号処理を行い，有線伝送処理部５１３からのベースバンド信号に対し誤り訂正の処理（符号を付加）をし，電力制御と共に無線信号への変調を含むベースバンド処理を行う。無線送受信部５１０は，移動体からの上りの無線周波数の信号をベースバンド信号に変換したり，移動体に向けた下りのベースバンド信号を無線周波数の信号に変換する処理を行う。
【０００５】
制御部５１２はベースバンド処理部５１１や有線伝送処理部５１３の各機能処理部に対してリソース（各機能部を構成する多数のブロックの中の１個または複数のブロック）割り当て処理を行う。すなわち，制御部５１２は，有線伝送処理部５１３やベースバンド処理部５１１に対してリソース割り当て要求を発行すると，各機能処理部は，制御部５１２から要求されたリソース確保の応答を制御部５１２に送信する。制御部５１２は，各処理部からの応答が正常な場合にのみ，当該ユーザリソースが確保されたものとしてサービスの接続を行う。しかし，サービス途中で部品故障や機能的な異常があった場合には，異常になったリソースを含むカード（ボード）の代わりに他の正常なリソースを含むカードを使用してサービスを継続するか，他の空きのカードが無い場合には切断処理を行うかの制御を行う。即ち，代わりのリソースのカードに切り替えたり，サービスを切断することにより使用可能なリソースの数が減少したり，呼を切断してしまうことにより，ユーザは最終的に接続率低下や高トラフィックサービスが受けられないことになる。
【０００６】
図９はベースバンド処理部における正常動作時の状態，図１０はベースバンド処理部におけるアラーム発生時の状態を示す図である。
【０００７】
図９，図１０において，６０はユーザデータ入力部，６１は選択装置，６２−１〜６２−Ｎはリソースブロックであり，これらの各リソースブロックはベースバンド処理機能（変復調，電力制御，誤り制御処理等）を備えている。６３はユーザデータ出力部，６４は自己診断データ生成部，６５は自己診断結果検出部である。
【０００８】
図９に示すように，正常動作時には選択装置６１がユーザデータ入力部６０からのデータを選択し，ユーザデータがリソースブロック６２に入力され，ユーザデータ出力部６３から出力され，ユーザデータ入力部６０とユーザデータ出力部６３は複数のデータを扱う。この正常動作において，サービス途中でリソースブロックの部品故障や，機能的な異常があった場合は，故障であることをアラームとして制御部（図８の５１２）に通知する。これに応じて制御部からの指示により図１０に示す自己診断処理を実行する。その時，自己診断データ生成部６４からの自己診断データとユーザデータ入力部６０からのユーザデータを切り替えるため，制御部は自己診断データに切り替わる前に，故障となっていない接続中のユーザの処理を，他のベースバンド処理部のカード（図示されない処理部）に追い出し処理を実施する。その後，選択装置６１が自己診断データ生成部６４から自己診断用のデータをリソースブロック６２−１〜６２−Ｎに流して自己診断結果検出部６５で自己診断結果を検出する。
【０００９】
この図９，図１０に示すように正常動作中に異常が発生すると，それまで正常にサービスされていたユーザの処理が，他のベースバンド処理部で実行させるよう切り替えられることになり，他のユーザにも影響が発生し，装置としての利用効率が低下してしまう。
【００１０】
従来の移動体無線システムの無線基地局装置の他の技術の例として，ベースバンドリソースと有線伝送路リソースの正常性確認機能として，呼処理におけるユーザリソース状態を監視し，異常が発生した場合に呼処理制御部に通知するリソース状態監視手段を備え，リソース状態監視手段は空きリソースを用いて確認用擬似信号による上り信号を折り返して下り信号としてユーザリソースの確認を行うと共に，異常を検出した場合は異常発生個所と対応手段を特定する技術が存在する（特許文献１参照）。
【００１１】
更に，複数の信号処理手段で構成するシステムに異常が発生した際にシステムダウンを防ぐために冗長装置に切り替える技術として，全てのリソース情報を直ちに読み出すことができる状態で予め記憶しておき，障害が発生した際にリソース情報に基づいて代替の信号処理手段に切り替えるようにした技術が知られている（特許文献２参照）。
【特許文献１】特開２００６−２０１４３号公報
【特許文献２】特開２００４−３５５２７３号公報
【発明の開示】
【発明が解決しようとする課題】
【００１２】
上記の図７〜図１０に示す従来の無線基地局装置では，有線伝送処理のリソースと，ベースバンド処理のリソースを合わせてユーザリソースとしているが，ベースバンド処理リソースを搭載したカード（またはボード）において，一度でも部品不良等によりアラームになった場合，そのカードへのリソース割り当てができなくなり，別カードへの割り当てや，既に割り当てられているリソースに対する別カードへの追い出し処理が発生する。これによりリソースを利用する上で制限が発生する。
【００１３】
また，上記特許文献１の技術は，正常性確認用に空きリソースが必ず１つ必要であり，リソース割り当て時に正常性確認を行う必要があることから呼設定までに時間がかかり，異常検出時に正常性の確認をするが，そのリソースに対して接続継続は実施しないという問題がある。
【００１４】
更に，上記特許文献２の技術は，障害発生時に空きリソースを使用するが，空きリソース自体の診断は実行されないため，空きリソースの正常性が確認できないという問題がある。
【００１５】
本発明は複数のリソースブロックで構成する無線基地局のベースバンド処理や有線伝送処理等のリソース制御方法及び装置に関し，ベースバンド処理等のリソースの信頼性を向上し，リソースの有効利用を可能とする無線基地局装置のリソース制御方法及び制御装置を提供することを目的とする。
【課題を解決するための手段】
【００１６】
図１は本発明の第１の原理構成を示し，移動通信システムの無線基地局におけるリソースとして，ベースバンド処理部を対象とした構成を示す。図１のＡ．は全体の構成，Ｂ．は入力部の変形した構成である。図中，１０は制御部，１０ａは異常情報複写手段，１０ｂは診断処理手段，１０ｃは診断結果判定手段，１０ｄは継続開始手段，１１は制御部用バス，１２−１〜１２−Ｎはベースバンド処理部を構成する複数のリソースブロック，１３はユーザデータ入力部，１４はユーザデータ出力部，１５は自己診断データ生成部，１６は自己診断結果検出部，１７−１はユーザデータの入力バス，１７−２は診断データの入力バス，１８は出力バスである。
【００１７】
ユーザデータ入力部１３からは，例えばＣＤＭＡ（Code Division Multiple Access ：拡散符号を用いて帯域を拡散）により拡散されたベースバンド信号が入力され，リソースブロック１２−１〜１２−Ｎへ入力してベースバンド処理が行われる。この時，ユーザリソース（ユーザ信号）１個に対しリソースブロックを１個使用するか，ユーザリソース複数個（ｘ個）に対しリソースブロック１個を使用してもよい。リソースブロック１２−１〜１２−Ｎの何れかで異常または障害が発生すると異常検出通知が発生し，制御部用バス１１を介して制御部１０に入力すると，制御部１０は異常を発生したリソースブロックを識別する。この例ではリソースブロック１２−１で異常が発生したものとする。
【００１８】
制御部１０は空きのリソースブロックを検出し，その空きのリソースブロックの一つ（リソースブロック１２−Ｎとする）を選択し，異常情報複写手段１０ａにより制御部用バス１１を介して異常が発生したリソースブロック１２−１におけるリソース情報（異常リソース情報と呼び，通信処理に使用するデータのフォーマットや，誤り訂正方式等の情報を含む）を選択したリソースブロック１２−Ｎに複写する。
【００１９】
次に，診断処理手段１０ｂが駆動され自己診断データ生成部１５と自己診断結果検出部１６に対して制御部用バス１１から指示を出す。これにより自己診断データ生成部１５から自己診断データが生成され診断データの入力バス１７−２から異常リソース情報が複写されたリソースブロック１２−Ｎへ入力されて処理が行われ，処理結果は出力バス１８へ出力され，自己診断結果検出部１６に入力されると，正常か否かを検出する。この検出内容は制御部１０の診断結果判定手段１０ｃで判定する。この判定結果が正常である場合，制御部１０の継続開始手段１０ｄは，診断動作を実行したリソースブロック１２−Ｎによりリソースブロック１２−１のユーザの通信を継続して開始するよう制御し，異常である場合は別のリソースブロック（１２−２や１２−３等）を使用して同様の処理を行う。全てのリソースブロックが診断異常になった場合は，制御部１０は正式の異常通知を出力する。
【００２０】
図１のＢ．において，１３０はデータ結合部，１７は単一の入力バスである。この構成では，ユーザデータ入力部１３からの入力と自己診断データ生成部１５からのデータを結合するデータ結合部１３０を設けたものであり，その出力は共通の入力バス１７を介して各リソースブロック１２−１〜１２−Ｎに供給する。このデータ結合部１３０は，拡散されて入力するユーザデータと拡散された自己診断データを多重化して各リソースブロック１２−１〜１２−Ｎに対してデータを流す。
【００２１】
なお，この第１の原理構成では，空きのリソースブロックの１つに異常リソース情報を複写して，自己診断データによる診断を行ったが，空きの複数のリソースブロックに異常リソース情報を複写して，複数のリソースブロックで自己診断データによる診断を行い，正常な一つにより再開処理を行うようにすることもできる。
【００２２】
図２は本発明の第２の原理構成を示す。図中，１０，１１，１２−１〜１２−Ｎ，１３〜１６，１７−１，１７−２の各符号は上記図１の同じ符号の各部に対応する。図２の中の図１と異なる部分は，１８−１と１８−２で表す第１の出力バスと第２の出力バスである。この第２の原理構成では，リソースブロックの一つに部品故障または異常発生した場合，具体例として上記図１の場合と同様にリソースブロック１２−１から異常検出通知が発生した場合，制御部１０の異常情報複写手段１０ａが空きのリソースブロック（１２−Ｎとする）にリソースブロック１２−１の情報，すなわち異常リソース情報を複写し，更に診断処理手段１０ｂからの指示で自己診断データ生成部１５から自己診断データを生成させ，リソースブロック１２−１とリソースブロック１２−Ｎの両方で自己診断データによる処理を実行するよう指示する。この場合，リソースブロック１２−１とリソースブロック１２−Ｎの自己診断データによる処理結果は，それぞれ第１の出力バス１８−１と第２の出力バス１８−２に別々に出力するよう制御部１０（診断処理手段１０ｂ）から指示される。２つの出力バス１８−１，１８−２からの処理結果は，診断結果判定手段１０ｃに並列に入力されると，比較が行われ，両者が一致した場合は，リソースブロック（１２−１）が正常であるとして，継続開始手段１０ｄにより引続き以前と同じユーザの通信を処理し，両者が一致しないとリソースブロック１２−Ｎにより再開を行う。
【発明の効果】
【００２３】
本発明によれば無線通信システムの無線基地局のベースバンド処理や有線伝送処理のカードを構成する複数のリソースブロックの中の一部に部品不良や，アラームが発生した場合に，別のカードへの追い出し処理や，別のカードへの割り当てを行うことなく，同一カード内のリソースブロックを有効利用することができ，効率的な処理を実現することができる。
【発明を実施するための最良の形態】
【００２４】
図３は実施例の構成を示し，この例は複数のリソースブロックで構成するベースバンド処理のためのカードの構成である。図中，１０，１１，１２−１〜１２−Ｎ，１３〜１７，１８は上記図１の各部と同じであり説明を省略する。制御部１０内の１００はカード全体の制御を行うＣＰＵ，１０１はプログラムを格納したＲＯＭ，１０２はプログラムを展開し，ＣＰＵ１００により実行するために使用すると共にデータを格納するメモリ（ＲＡＭ）である。
【００２５】
図４は異常発生時の実施例１のフローチャートであり，図３の構成において制御部１０の制御により実行される。このフローチャートは上記図１に示す本発明の第１の原理構成に対応する。
【００２６】
リソースブロック（１２−１とする）で異常が発生すると，異常発生処理が開始され（図４のＳ１），制御部へ仮異常通知が出力される（同Ｓ２）。これを受け取った制御部は，空きのリソースブロック（１２−Ｎ：図４ではリソースブロックＮと表す）へ異常を発生したリソースブロック（１２−１：図４ではリソースブロック１と表す）の異常リソース情報（呼処理情報のフォーマットや誤り訂正の方式等の情報）を複写する処理を行い（図４のＳ３），制御部から自己診断データ生成部への自己診断データ発生の指示をし（同Ｓ４），制御部から自己診断結果検出部へ自己診断検出処理を指示する（同Ｓ５）。続いて，複写リソース（リソースブロック１２−Ｎ）での自己診断データについてのデータ処理及びデータ出力が実行され（図４のＳ６），自己診断検出処理での自己診断結果が出力されると（同Ｓ７），複写リソースの診断結果がＯＫ（正常：予め決められた期待値以上の場合）か判別する（同Ｓ８）。
【００２７】
この判別で正常でない（エラー検出）場合は，全リソースブロックについてエラー（ＮＧ）であるかの判別をして（図４のＳ９），全リソースブロックがエラーでない場合，制御部から次のリソースブロック（Ｍで表す）への異常リソースブロック（１２−１）の異常リソース情報の複写処理を行い（同Ｓ１０），ステップＳ４以下の処理が繰り返される。複写リソースの診断結果がＯＫの場合，複写リソース（１２−Ｎ）での通信継続を開始し（図４のＳ１１），自己診断データ生成部からのデータ出力を停止し（同Ｓ１２），異常発生処理を終了する。上記ステップＳ８，Ｓ９，Ｓ１０の処理によりリソースブロックを順番に切り替えて，全リソースブロックについてＮＧであると，本異常通知を出力し（図４のＳ１３），ステップＳ１２に移行し，異常発生処理を終了する。
【００２８】
図５は異常発生時の実施例２のフローチャートであり，上記図３の制御部１０の制御により実行される。なお，この処理も上記図１に示す第１の原理構成により実行される。
【００２９】
リソースブロックで異常が発生すると，異常発生処理が開始され（図５のＳ１），制御部へ仮異常通知が出力される（同Ｓ２）。これを受け取った制御部は，空きリソースブロックの中の複数のリソースブロック（１２−Ｎ，Ｍ，…Ｙ）へ異常を発生したリソースブロック（１２−１）の異常リソース情報を複写する処理を行い（図５のＳ３），制御部から自己診断データ生成部への自己診断データ発生の指示をする（同Ｓ４）。更に，制御部から自己診断結果検出部へ自己診断検出処理を指示する（図５のＳ５）。続いて，一定数の複数の複写リソースでの自己診断データについてのデータ処理及びデータ出力が実行され（図５のＳ６），自己診断検出処理での診断結果が出力されると（同Ｓ７），複写リソースの診断結果について１リソースブロック以上でＯＫ（正常）が検出されたか判別する（同Ｓ８）。ＯＫが検出された場合，その一つのリソースブロックでの通信接続を開始し（図５のＳ１１），自己診断データ生成部からのデータ出力を停止し（同Ｓ１２），異常発生処理を終了する。なお，複数のリソースブロックがＯＫであれば，その中の一つが選択される。
【００３０】
ステップＳ８において，ＯＫ（正常）であるリソースブロックが一つも検出されないと，全リソースブロックがＮＧであるか判別し（図５のＳ９），全リソースブロックがＮＧでない場合は，制御部から次の複数のリソースブロック（α，β，…とする）へのリソースブロック１の異常リソース情報を複写する処理を行い（同Ｓ１０），ステップＳ４の処理に戻る。
【００３１】
この実施例２のフローチャートにより上記実施例１の場合に比べて複数リソースブロックへの複写処理を行うことにより，複写先リソースブロックが異常と診断された場合のタイムラグを軽減することができる。
【００３２】
図６は異常発生時の実施例３のフローチャートである。この実施例３の処理内容は，上記図２に示す本発明の第２の原理構成に対応する。
【００３３】
リソースブロックの異常発生処理が開始（図６のＳ１）され，制御部へ仮異常が通知され（同Ｓ２），制御部から空きのリソースブロックＮへの異常のリソースブロック１の異常リソース情報の複写処理をし（同Ｓ３），その後の図６に示す実施例３のフローチャートのうち，制御部から自己診断データ発生部への自己診断データの発生指示（同Ｓ４），制御部から自己診断結果検出部への自己診断検出処理の指示（同Ｓ５）までは，上記図４の実施例１のフローチャートと同じである。この後，異常リソースブロック１と複写リソースブロックＮでの処理及びデータ出力が指示され（図６のＳ６），これにより自己診断結果検出部（図２の１６）には，異常リソース（リソースブロック１）と複写リソース（リソースブロックＮ）の出力データがそれぞれの出力バスを経由して入力され，自己診断検出処理により両リソースブロックの出力データを比較処理する（図６のＳ７）。さらに，ステップＳ４で発生させる自己診断データを発生させずに別方法として，ステップＳ４のデータとしてユーザデータをそのまま自己診断データとして使用する。異常リソースブロックと複写ブロックから出力されるユーザ信号の比較を自己診断検出処理により実施し，両リソースブロックの出力データを比較処理する。
【００３４】
ここで比較結果が同じか判別し（図６のＳ８），一致しない場合，複写リソースの診断結果がＯＫ（良好）か判別し（同Ｓ９），ＯＫでない場合は全リソースブロックについてＮＧであったか判別する（同Ｓ１０）。全リソースブロックについてＮＧでない場合は，制御部から次のリソースブロック（１２−Ｍ：図６ではリソースブロックＭで表す）へのリソースブロック１の異常リソース情報複写の処理を行い（図６のＳ１１），ステップＳ４に戻って同様の処理が行われる。ステップＳ１０で全リソースブロックがＮＧであることが判ると，本異常通知が発生する（同Ｓ１２）。
【００３５】
上記ステップＳ９で複写リソースの診断がＯＫ（良好）な場合，複写リソースでの通信継続処理を行う（図６のＳ１３）。また，上記ステップＳ８において，出力データの比較結果が同じであることが判ると，以前のアラーム（ＡＬＭ）履歴があるか判別し（図６のＳ１４），アラーム履歴がある場合は上記のステップＳ９に移行し複写リソースでの診断ＯＫかの判別を行い，アラーム履歴がないと異常リソースでの通信継続処理を行い（同Ｓ１５），異常リソース（リソースブロック１）への履歴情報として“アラーム履歴あり”を設定する（同Ｓ１６）。このステップＳ１６及びステップＳ１２，Ｓ１３に続いて自己診断データ生成部からのデータ出力を停止し（図６のＳ１７），異常発生処理を終了する。
【００３６】
このフローチャートにより，再度同じリソースが異常となり，複写先リソースと同じ結果になったとしても再利用せず複写先リソースを使用したリソース追い出しを実施することが可能となり，リソースの有効利用が実現できる。
【００３７】
（付記１）  ベースバンド処理や有線伝送処理のための複数のリソースブロック及び制御部を備えた無線基地局装置のリソース制御方法において，前記制御部は，前記リソースブロックの何れかで異常が発生すると空きのリソースブロックの一つを検出し，異常を発生したリソースブロックで使用する処理情報を異常リソース情報として複写し，前記異常リソース情報を複写した空きのリソースブロックに対して自己診断データ生成部から診断データを入力して処理を実行させ，前記空きのリソースブロックによる自己診断データの処理結果を自己診断結果検出部で検出した結果を判定し，前記自己診断データの処理結果が良好と判定されると前記異常を発生したリソースブロックの通信処理を，当該良好と判定されたリソースブロックによる継続処理を開始させ，自己診断データの処理結果が不良と判定されると他の空きリソースブロックに対する異常リソース情報の複写と自己診断による正常なリソースブロックの選択を行うことを特徴とする無線基地局装置のリソース制御方法。
【００３８】
（付記２）  ベースバンド処理や有線伝送処理のための複数のリソースブロック及び制御部を備えた無線基地局装置のリソース制御方法において，前記制御部は，前記リソースブロックの何れかで異常が発生すると空きのリソースブロックを識別して複数の空きリソースブロックを検出すると，検出した複数の空きリソースブロックの中の所定数のリソースブロックのそれぞれに対して，前記異常を発生したリソースブロックで使用する処理情報を異常リソース情報として複写し，前記異常リソース情報を複写した複数の空きのリソースブロックに対して自己診断データ生成部から診断データを入力して処理を実行させ，前記空きのリソースブロックによる自己診断データの処理結果を自己診断結果検出部で順に検出して結果を判定し，前記自己診断データの処理結果について，良好と判定されたリソースブロックが一つ検出されると，前記異常を発生したリソースブロックの通信処理を，当該検出されたリソースブロックによる継続処理を開始させ，自己診断データの処理結果が不良であると，他の空きのリソースブロックによる前記異常リソース情報の複写による正常なリソースブロックの検出を行うことを特徴とする無線基地局装置のリソース制御方法。
【００３９】
（付記３）  ベースバンド処理や有線伝送処理のための複数のリソースブロック及び制御部を備えた無線基地局装置のリソース制御方法において，前記制御部は，前記リソースブロックの何れかで異常が発生すると空きのリソースブロックの一つを検出し，検出したリソースブロックに前記異常を発生したリソースブロックで使用する情報を異常リソース情報として複写し，前記異常リソース情報を複写した空きのリソースブロック及び前記異常を発生したリソースブロックのそれぞれに対して自己診断データ生成部から自己診断データを入力して処理を実行させ，前記空きのリソースブロックの自己診断結果の出力と前記異常を発生したリソースブロックの自己診断結果の出力とを比較し，両者が一致すると前記異常を発生したリソースブロックによる処理を継続開始することを特徴とする無線基地局装置のリソース制御方法。
【００４０】
（付記４）  付記３において，前記空きのリソースブロックの自己診断結果の出力と前記異常を発生したリソースブロックの自己診断結果の出力とを比較して，一致が得られると，前記異常を発生したリソースブロックに関する警報履歴を判別し，警報履歴がないと前記異常を発生したリソースブロックにより処理を継続再開し，警報履歴があると前記空きのリソースブロックの自己診断結果が良好であるか判別し，良好な場合は該空きのリソースブロックによる処理を継続再開することを特徴とする無線基地局装置のリソース制御方法。
【００４１】
（付記５）  ベースバンド処理や有線伝送処理のための複数のリソースブロックで構成する無線基地局装置のリソースの制御装置であって，前記制御装置は，前記リソースブロックの何れか一つでの異常発生を受け取ることで起動して空きのリソースブロックの一つを検出して，前記異常を発生したリソースブロックの情報を異常リソース情報として複写させる異常情報複写手段と，自己診断データ生成部に対して前記異常リソース情報を複写した空きのリソースブロックに対して自己診断データを入力させ，該自己診断データにより動作したリソースブロックの結果を判定する自己診断結果検出部を駆動するよう指示する診断処理手段と，前記自己診断結果検出部による検出結果を判定する診断結果判定手段と，前記診断結果判定手段により正常と判定されると，該正常とされたリソースブロックにより前記異常を発生したリソースブロックの処理を継続させる継続開始手段とを備えることを特徴とする無線基地局装置のリソースの制御装置。
【００４２】
（付記６）  付記５において，前記複数のリソースブロックの各出力をユーザ出力データとして出力すると共に自己診断データの処理結果を前記自己診断結果検出部へ出力できる第１の出力バスと，前記複数のリソースブロックの各自己診断データの処理結果を前記自己診断結果検出部へ出力する第２の出力バスを備える第２の出力バスとを設け，前記異常情報複写手段は複数のリソースブロックの一つに異常が発生すると，空きの一つのリソースブロックに異常リソース情報を複写し，前記診断処理手段は前記異常リソース情報を複写したリソースブロック及び前記異常を発生したリソースブロックに対して前記自己診断データ生成部からの自己診断データを供給し，前記空きのリソースブロックの自己診断結果の出力と前記異常を発生したリソースブロックの自己診断結果の出力とをそれぞれ前記第１の出力バスと第２の出力バスを介して前記自己診断結果検出部に入力して比較を行い，前記比較結果において一致が得られると，前記異常を発生したリソースブロックの警報履歴がないことが判別されると，当該異常を発生したリソースブロックにより処理の継続再開を行うことを特徴とする無線基地局のリソースの制御装置。
【図面の簡単な説明】
【００４３】
【図１】本発明の第１の原理構成を示す図である。
【図２】本発明の第２の原理構成を示す図である。
【図３】実施例の構成を示す図である。
【図４】異常発生時の実施例１のフローチャートを示す図である。
【図５】異常発生時の実施例２のフローチャートを示す図である。
【図６】異常発生時の実施例３のフローチャートを示す図である。
【図７】移動通信システムの構成を示す図である。
【図８】無線基地局装置のブロック構成図である。
【図９】ベースバンド処理部における正常動作時の状態を示す図である。
【図１０】ベースバンド処理部におけるアラーム発生時の状態を示す図である。
【符号の説明】
【００４４】
１０      制御部
１０ａ    異常情報複写手段
１０ｂ    診断処理手段
１０ｃ    診断結果判定手段
１０ｄ    継続開始手段
１１      制御部用バス
１２−１〜１２−Ｎ    リソースブロック
１３      ユーザデータ入力部
１４      ユーザデータ出力部
１５      自己診断データ生成部
１６      自己診断結果検出部
１７−１  ユーザデータの入力バス
１７−２  診断データの入力バス
１８      出力バス
【図１】
0004647550.tif 000002
【図２】
0004647550.tif 000003
【図３】
0004647550.tif 000004
【図４】
0004647550.tif 000005
【図５】
0004647550.tif 000006
【図６】
0004647550.tif 000007
【図７】
0004647550.tif 000008
【図８】
0004647550.tif 000009
【図９】
0004647550.tif 000010
【図１０】
0004647550.tif 000011